(57)【要約】【課題】温度調整を行った際に、吐水流量が変化してしまうのを防止することができる湯水混合水栓を提供する。【解決手段】本発明は、湯水混合水栓（１）であって、湯流入口、水流入口、混合された湯水の流出口、及び第１の軸線中心の回動により混合比が変化され、第２の軸線中心の回動により流出流量が変化される調整部（１２ａ）を備えた湯水混合バルブユニット（１２）と、水栓本体部（１０）と、この水栓本体部に第１の軸線中心に回動可能に取り付けられた回動部（８ｂ）、及び、使用者によって把持・操作され、回動部と共に回動される温度調整操作部（８ａ）を備え、回動部は調整部を取り囲むように構成され、調整部と当接して調整部を第１の軸線中心に回動させる温度調整手段（８）と、調整部に取り付けられ、使用者によって把持・操作され調整部を第２の軸線を中心に回動させる流量調整手段（６）と、を有することを特徴としている。【選択図】図３
2008163603.tif 000002
【特許請求の範囲】
【請求項１】
供給された湯及び水の混合比を変化させると共に、吐水流量を調整する湯水混合水栓であって、
供給された湯を受け入れる湯流入口、供給された水を受け入れる水流入口、湯及び水が混合された湯水を流出させる流出口、及び第１の軸線を中心に回動させることにより湯と水の混合比が変化され、第２の軸線を中心に回動させることにより湯水の流出流量が変化される調整部を備えた湯水混合バルブユニットと、
この湯水混合バルブユニットを受け入れる水栓本体部と、
この水栓本体部に上記第１の軸線を中心として回動可能に取り付けられた回動部、及び、使用者によって把持・操作され、上記回動部と共に回動される温度調整操作部を備え、上記回動部は上記調整部を取り囲むように構成され、上記調整部と当接して上記調整部を上記第１の軸線を中心に回動させる温度調整手段と、
上記調整部に取り付けられ、使用者によって把持・操作されることにより、上記調整部を上記第２の軸線を中心に回動させる流量調整手段と、
を有することを特徴とする湯水混合水栓。
【請求項２】
上記調整部が、上記回動部に当接する当接面積を拡大するためのガイド部を有する請求項１記載の湯水混合水栓。
【請求項３】
上記回動部が上記第２の軸線を中心とするほぼ円弧状の断面に形成された円弧断面部を備え、上記流量調整手段が、上記円弧断面部に沿うように移動される流量調整用ツマミである請求項１又は２記載の湯水混合水栓。
【請求項４】
上記流量調整手段が、上記第２の軸線を中心とする円のほぼ半径方向に延びる流量調整用レバーである請求項１又は２記載の湯水混合水栓。
【請求項５】
上記第１の軸線から上記温度調整操作部の突端までの距離が、上記第１の軸線から上記流量調整用ツマミの突端までの最長距離、又は上記流量調整用レバーの突端までの最長距離よりも長い請求項３又は４記載の湯水混合水栓。
【請求項６】
上記回動部は、その上面に、上記流量調整手段の上記第２の軸線を中心とする回動位置を示すための流量目盛りを有する請求項１乃至５の何れか１項に記載の湯水混合水栓。
【請求項７】
上記水栓本体部又は上記回動部は、上記第１の軸線を中心とした上記回動部の上記水栓本体部に対する回動位置を示すための温度目盛りを有する請求項１乃至６の何れか１項に記載の湯水混合水栓。
【発明の詳細な説明】
【技術分野】
【０００１】
本発明は、湯水混合水栓に関し、特に、供給された湯及び水の混合比を変化させると共に、吐水流量を調整する湯水混合水栓に関する。
【背景技術】
【０００２】
特開２００３−２８３２０号公報には、湯水混合水栓が記載されている。この公報に記載されている所謂シングルレバー式の湯水混合水栓は、単一の操作レバーを左右方向に回動させることにより吐水される湯水の温度が変化し、上下方向に回動させることにより吐水流量が変化するように構成されている。このようなシングルレバー式の湯水混合水栓は、一般に、湯水混合バルブユニットを内蔵している。この湯水混合バルブユニットは調整用のロッドを備えており、これを左右方向に回動させることにより供給された湯及び水の混合比が変化し、上下方向に回動させることにより湯及び水の流量が変化するように構成されている。このような湯水混合バルブユニットを備えた湯水混合水栓は、コンパクトな単一のバルブユニットを内蔵するだけで、吐止水、流量調整、及び温度調整が可能となることから、広く普及している。
【０００３】
【特許文献１】特開２００３−２８３２０号公報
【発明の開示】
【発明が解決しようとする課題】
【０００４】
しかしながら、特開２００３−２８３２０号公報に記載されているようなシングルレバー式の湯水混合水栓では、操作レバーを上下方向に回動させ、吐水、止水を繰り返している間に、操作レバーが偶発的に左右方向にも回動されてしまい、適温に調整した吐水温度が変化してしまうという問題がある。或いは、逆に、操作レバーを左右方向に回動させ、温度調整を行った際に、操作レバーが偶発的に上下方向にも回動されてしまい、吐水流量が変化してしまうという問題がある。
【０００５】
従って、本発明は、吐水、止水が繰り返された際に、調整した吐水温度が変化してしまうのを防止することができる湯水混合水栓を提供することを目的としている。
また、本発明は、温度調整を行った際に、吐水流量が変化してしまうのを防止することができる湯水混合水栓を提供することを目的としている。
【課題を解決するための手段】
【０００６】
上述した課題を解決するために、本発明は、供給された湯及び水の混合比を変化させると共に、吐水流量を調整する湯水混合水栓であって、供給された湯を受け入れる湯流入口、供給された水を受け入れる水流入口、湯及び水が混合された湯水を流出させる流出口、及び第１の軸線を中心に回動させることにより湯と水の混合比が変化され、第２の軸線を中心に回動させることにより湯水の流出流量が変化される調整部を備えた湯水混合バルブユニットと、この湯水混合バルブユニットを受け入れる水栓本体部と、この水栓本体部に第１の軸線を中心として回動可能に取り付けられた回動部、及び、使用者によって把持・操作され、回動部と共に回動される温度調整操作部を備え、回動部は調整部を取り囲むように構成され、調整部と当接して調整部を第１の軸線を中心に回動させる温度調整手段と、調整部に取り付けられ、使用者によって把持・操作されることにより、調整部を第２の軸線を中心に回動させる流量調整手段と、を有することを特徴としている。
【０００７】
このように構成された本発明においては、使用者が流量調整手段を把持・操作することにより、湯水混合バルブユニットの調整部が、第２の軸線を中心に回動される。これにより、湯水混合バルブユニットから流出する湯水の流出流量が変化される。また、使用者が、温度調整手段の温度調整操作部を把持・操作することにより、温度調整手段の回動部によって取り囲まれた調整部が、回動部と当接して、第１の軸線を中心に回動される。これにより、湯水混合バルブユニットから流出する湯水の温度が変化される。
【０００８】
このように構成された本発明によれば、温度調整手段が、水栓本体部に第１の軸線を中心として回動可能に取り付けられているので、温度調整操作部の把持・操作により、調整部が偶発的に第２の軸線を中心に回動され、湯水の流出流量が変化するのを防止することができる。
【０００９】
本発明において、好ましくは、調整部は、回動部に当接する当接面積を拡大するためのガイド部を有する。
このように構成された本発明によれば、調整部が回動部に当接する当接面積が拡大されるので、調整部及び回動部に作用する面圧を低減することができ、湯水混合水栓の耐久性を向上させることができる。
【００１０】
本発明において、好ましくは、回動部は第２の軸線を中心とするほぼ円弧状の断面に形成された円弧断面部を備え、流量調整手段が、円弧断面部に沿うように移動される流量調整用ツマミである。
このように構成された本発明によれば、流量調整用ツマミが、常に第１の軸線の近傍に位置するので、流量調整用ツマミの把持・操作により調整部が偶発的に第１の軸線を中心に回動されるのを防止することができる。
【００１１】
本発明において、好ましくは、流量調整手段は、第２の軸線を中心とする円のほぼ半径方向に延びる流量調整用レバーである。
このように構成された本発明によれば、流量調整用レバーが第２の軸線を中心とする円のほぼ半径方向に延びているので、流量調整用レバーの把持・操作により、調整部を第１の軸線を中心に回動させることは困難である。これにより、流量調整用レバーの把持・操作により、調整部が偶発的に第１の軸線を中心に回動されるのを防止することができる。
【００１２】
本発明において、好ましくは、第１の軸線から温度調整操作部の突端までの距離は、第１の軸線から流量調整用ツマミの突端までの最長距離、又は流量調整用レバーの突端までの最長距離よりも長く構成されている。
【００１３】
このように構成された本発明によれば、流量調整用ツマミ又は流量調整用レバーを把持・操作した場合に作用させることができる第１の軸線を中心とするトルクは、温度調整操作部を把持・操作することにより作用させることができるトルクよりも小さくなるので、流量調整用ツマミ又は流量調整用レバーの把持・操作により調整部が偶発的に第１の軸線を中心に回動されるのを防止することができる。
【００１４】
本発明において、好ましくは、回動部は、その上面に、流量調整手段の第２の軸線を中心とする回動位置を示すための流量目盛りを有する。
このように構成された本発明によれば、使用者は、流量目盛りにより流量調整の状態を視覚的に認識することができる。
【００１５】
本発明において、好ましくは、水栓本体部又は上記回動部は、第１の軸線を中心とした回動部の水栓本体部に対する回動位置を示すための温度目盛りを有する。
このように構成された本発明によれば、使用者は、温度目盛りにより温度調整の状態を視覚的に認識することができる。
【発明の効果】
【００１６】
本発明の湯水混合水栓によれば、吐水、止水が繰り返された際に、調整した吐水温度が変化してしまうのを防止することができる。
本発明の湯水混合水栓によれば、温度調整を行った際に、吐水流量が変化してしまうのを防止することができる。
【発明を実施するための最良の形態】
【００１７】
次に、添付図面を参照して、本発明の好ましい実施形態を説明する。
まず、図１乃至図１１を参照して、本発明の第１実施形態による湯水混合水栓を説明する。図１は、本実施形態による湯水混合水栓を備えた流し台全体を示す斜視図である。また、図２は本実施形態による湯水混合水栓を流し台から取り外した状態を示す斜視図であり、図３は、湯水混合水栓を全開（流量最大）にした状態を示す、図２のIII−III方向に沿う断面図であり、図４は、図２のIV−IV方向に沿う断面図である。さらに、図５は本実施形態の湯水混合水栓に内蔵されている湯水混合バルブユニットの斜視図である。
【００１８】
図１に示すように、本発明の第１実施形態による湯水混合水栓１は、流し台のシンク２の近傍に、吐水部４と共に設けられる。湯水混合水栓１の流量調整用ツマミ６を操作することにより、吐水部４の吐水口４ａから吐水され、また、温度調整用レバー８ａを操作することにより、吐水される湯水の温度が調整できるように構成されている。
【００１９】
次に、図２乃至図５を参照して、本実施形態による湯水混合水栓１の構成を説明する。図２乃至図５に示すように、湯水混合水栓１は、筐体１０と、この筐体１０の中に受け入れられた湯水混合バルブユニット１２と、筐体１０に螺合されて湯水混合バルブユニット１２を固定するバルブ押え１４と、を有する。また、筐体１０の外周には、円筒形のスペーサー１６が配置され、筐体１０の上方のバルブ押え１４の外周には、円筒形のカバー１８が配置されている。なお、本実施形態において、筐体１０、バルブ押え１４、及びカバー１８は、水栓本体部を構成する。
【００２０】
さらに、湯水混合水栓１は、バルブ押え１４の上部に、回動可能に取り付けられた温度調整手段である回動キャップ８と、湯水混合バルブユニット１２の調整用ロッド１２ａに取り付けられたシャフト２０と、このシャフト２０の先端に取り付けられた流量調整用ツマミ６と、調整用ロッド１２ａの周囲に取り付けられたガイド部２２と、を有する。なお、本実施形態において、調整用ロッド１２ａ及びガイド部２２は、湯水混合バルブユニット１２の調整部を構成する。
【００２１】
筐体１０は、概ね円柱状の部材であり、その上端には湯水混合バルブユニット１２を受け入れるバルブユニット収納凹部１０ａが形成されている。さらに、このバルブユニット収納凹部１０ａの上端には雌ねじ１０ｂが形成されており、この雌ねじ１０ｂにバルブ押え１４を螺合させることにより、バルブユニット収納凹部１０ａ内に配置された湯水混合バルブユニット１２が固定される。さらに、筐体１０の下部には、供給された湯を湯水混合バルブユニット１２に導く湯供給通路１０ｃ（図４）と、水を導く水供給通路１０ｄ（図４）と、湯水混合バルブユニット１２で混合された湯水を流出させる湯水通路１０ｅ（図３）が形成されている。これらの通路１０ｃ、１０ｄ、１０ｅは、バルブユニット収納凹部１０ａの底面まで延び、湯水混合バルブユニット１２の底面に構成された湯流入口１２ｃ（図４）、水流入口１２ｄ（図４）、流出口１２ｅ（図３）に夫々整合するように位置決めされている。
【００２２】
湯水混合バルブユニット１２は、筐体１０のバルブユニット収納凹部１０ａの内部に配置されており、湯供給通路１０ｃ及び水供給通路１０ｄを介して供給された湯及び水を適宜混合して、湯水通路１０ｅに流出させるように構成されている。また、湯水混合バルブユニット１２の上部には、調整用ロッド１２ａが、上方に向けて突出するように設けられている。図５に示すように、この調整用ロッド１２ａは、鉛直方向に向けられた第１の軸線Ｖと、水平方向に向けられた第２の軸線Ｈを中心に回動可能に構成されている。
【００２３】
第１の軸線Ｖは、概ね円筒状の湯水混合バルブユニット１２の中心を通る軸線であり、調整用ロッド１２ａを第１の軸線Ｖを中心に回動させることにより、供給された湯及び水の混合比が変化される。一方、第２の軸線Ｈは、湯水混合バルブユニット１２の中に水平方向に取り付けられた回転軸１２ｂの中心を通る軸線であり、調整用ロッド１２ａを第２の軸線Ｈを中心に回動させることにより、混合された湯水の流出流量が変化される。湯水混合バルブユニット１２内部構成の詳細は後述する。
【００２４】
図６はバルブ押え１４の斜視図である。図６に示すように、バルブ押え１４は段付きの円筒状の形状を有し、その下段部１４ａは直径が小さく、上段部１４ｂは直径が大きく構成されている。また、下段部１４ａの外周には雄ねじが形成されており、この雄ねじは、バルブユニット収納凹部１０ａの上端に形成された雌ねじ１０ｂと螺合される。このように、バルブ押え１４を筐体１０にねじ込むことにより、バルブユニット収納凹部１０ａに収納された湯水混合バルブユニット１２の肩部が押圧され、湯水混合バルブユニット１２がバルブユニット収納凹部１０ａ内で固定される。
【００２５】
一方、バルブ押え１４の上段部１４ｂは、その内側に回動キャップ８の下部を受け入れるように構成されており、これにより、回動キャップ８はバルブ押え１４に対して回動可能に取り付けられる。さらに、上段部１４ｂにはピン挿入孔１４ｃが設けられており、このピン挿入孔１４ｃに、回動キャップ８の抜け止め用のピン１５（図３）を通すことにより、回動キャップ８が上方に抜けるのを防止している。
【００２６】
図７はカバー１８の斜視図である。図７に示すように、カバー１８は、円筒状の部品であり、バルブ押え１４の上段部１４ｂの外側に、上段部１４ｂを覆うように配置される。また、カバー１８の外周面には、縦方向の温度目盛り１８ａが、温度調整用レバー８ａの可動範囲に亘って等間隔に設けられている。これにより、使用者は、温度調整用レバー８ａの回動位置を容易に認識することができる。さらに、温度目盛り１８ａの反対側には雌ねじ穴１８ｂが設けられており、この雌ねじ穴１８ｂに固定ビス１９（図３）をねじ込むことによりカバー１８はバルブ押え１４に固定される。
【００２７】
図８は回動キャップ８の斜視図である。図８に示すように、温度調整手段である回動キャップ８は、概ね円形の回動部８ｂと、この回動部８ｂから半径方向に延びる温度調整操作部である温度調整用レバー８ａと、を有する。使用者がこの温度調整用レバー８ａを把持して操作することにより、回動キャップ８は軸線Ｖを中心に、左右方向に回動されるように構成されている。また、回動部８ｂの上面は、中心点が湯水混合バルブユニット１２の回転軸１２ｂ上に位置する概ね球面状に形成されている。従って、回動部８ｂを回転軸１２ｂに直交する平面で切断した断面は円弧状の円弧断面部となる（図３）。
【００２８】
さらに、回動部８ｂには、半径方向に延びるスリット状の開口部８ｃが形成されており、湯水混合バルブユニット１２の調整用ロッド１２ａに連結されたシャフト２０が、開口部８ｃの中を貫通して延びている（図３）。また、開口部８ｃの近傍には、開口部８ｃに沿って流量目盛り８ｄが設けられている。本実施形態においては、流量目盛り８ｄは、長さが段階的に長くなる等間隔の複数の線分から構成されている。これにより、使用者は、流量目盛り８ｄの線分が長くなる方向に流量調整用ツマミ６を操作することにより流量が増大することを認識できると共に、流量調整用ツマミ６の調整位置を容易に認識することができる。
【００２９】
また、回動部８ｂの下側には、環状部８ｅが形成されており、この環状部８ｅがバルブ押え１４の上段部１４ｂの中に回動可能に嵌め込まれる。さらに、環状部８ｅの外周面には、ピン１５を受け入れるための環状の溝８ｇが形成されている。さらに、図４に示すように、回動部８ｂの下側面には、幅一定の当接凹部８ｆが形成されており、この当接凹部８ｆは、開口部８ｃと整合するように配置されている。また、当接凹部８ｆはガイド部２２を摺動可能に受け入れており、回動キャップ８が回動されるとガイド部２２と当接して、ガイド部２２を第１の軸線Ｖを中心に回動させる。これにより、ガイド部２２が取り付けられた調整用ロッド１２ａも第１の軸線Ｖを中心に回動される。
【００３０】
また、組み立ての際には、まず、バルブ押え１４により湯水混合バルブユニット１２を固定し、さらに、バルブ押え１４の外側にカバー１８を被せ、バルブ押え１４の上段部１４ｂの中に回動キャップ８の環状部８ｅを嵌め込む。次に、カバー１８を適宜回転させ、カバー１８の雌ねじ穴１８ｂとバルブ押え１４のピン挿入孔１４ｃを整合さる。さらに、雌ねじ穴１８ｂを通してピン挿入孔１４ｃの中にピン１５を挿入する。これにより、ピン１５の先端が回動キャップ８の溝８ｇの中に挿入され、回動キャップ８の上方への抜けが防止される。また、この際、ピン１５の基端は、バルブ押え１４のピン挿入孔１４ｃの中に埋没される。この状態で、カバー１８を所定の位置まで回動させると、ピン挿入孔１４ｃは雌ねじ穴１８ｂと整合しなくなり、ピン１５のピン挿入孔１４ｃからの脱落が、カバー１８により防止される。次いで、固定ビス１９を、カバー１８の雌ねじ穴１８ｂに螺合させ、その先端をバルブ押え１４にくい込ませることにより、カバー１８がバルブ押え１４に固定される。
【００３１】
図９は、ガイド部２２の斜視図である。図９に示すように、ガイド部２２は、その上面２２ａが、当接凹部８ｆの形状に沿うように円弧状の曲面に形成されている。この上面２２ａの円弧状の曲面は、概ね回転軸１２ｂを中心とする円弧となるように形成されている。また、ガイド部２２の底面には、湯水混合バルブユニット１２の調整用ロッド１２ａを受け入れるための、概ね正方形断面のロッド挿入穴２２ｂが形成されている。概ね正方形断面の調整用ロッド１２ａを、このロッド挿入穴２２ｂに受け入れることにより、ガイド部２２の調整用ロッド１２ａに対する回転位置が固定される。さらに、上面２２ａとロッド挿入穴２２ｂを連通させるように、シャフト２０を貫通させるための円形穴２２ｃが形成されている。
【００３２】
また、ガイド部２２の両側の側面２２ｄは、回動キャップ８の当接凹部８ｆに対する当接面として形成されており、回動キャップ８が回動されると、当接凹部８ｆと当接して押圧される。さらに、ガイド部２２の側面２２ｄは、その上部が上面２２ａに沿って幅広に形成されており、これにより、当接凹部８ｆに対する大きな当接面積が確保されている。
【００３３】
図１０は、流量調整手段である流量調整用ツマミ６の斜視図である。図１０に示すように、流量調整用ツマミ６は、概ね円弧状に湾曲された長方形板状に形成されている。流量調整用ツマミ６の中央部には、流量調整用ツマミ６の突端である隆起部６ａが設けられている。また、使用者によって把持される把持部である隆起部６ａの底面には、シャフト２０を挿入して固定するための受入穴６ｂが形成されている。さらに、流量調整用ツマミ６の側面中央には、回動キャップ８に設けられた流量目盛り８ｄを指示するための指示突起６ｃが形成されている。
【００３４】
図３に示すように、流量調整用ツマミ６の底面は、流量調整用ツマミ６がシャフト２０に取り付けられたとき、回動キャップ８の円弧断面部に沿って延びるように形成されている。これにより、回動キャップ８の開口部８ｃは流量調整用ツマミ６によって覆われる。また、上述したように、回動キャップ８の円弧断面部は、調整用ロッド１２ａの回転軸１２ｂを中心とする円弧状に形成されている。このため、調整用ロッド１２ａが回転軸１２ｂを中心に回動操作されたとき、流量調整用ツマミ６は、回動キャップ８の円弧断面部に沿うように移動される。
【００３５】
ここで、第１の軸線Ｖから流量調整用ツマミ６の突端までの距離Ｄ２は、湯水混合水栓１を全開（流量最大）としたとき最長になる。本実施形態においては、第１の軸線Ｖから温度調整用レバー８ａの突端までの距離Ｄ１が、第１の軸線Ｖから流量調整用ツマミ６の突端までの距離Ｄ２よりも常に長くなるように構成されている。このため、使用者が温度調整用レバー８ａを把持した場合には、調整用ロッド１２ａに対して、第１の軸線Ｖを中心とする大きなトルクを容易に作用させることができるが、使用者が流量調整用ツマミ６を把持した場合には、調整用ロッド１２ａに大きなトルクを及ぼすことは困難である。これにより、流量調整用ツマミ６の操作により、調整用ロッド１２ａが偶発的に第１の軸線Ｖを中心として回動してしまうのを防止することができる。
【００３６】
次に、図３、図４及び図１１を参照して、湯水混合バルブユニット１２の内部の構成を説明する。図１１は、止水状態にある湯水混合水栓１の断面図である。図１１に示すように、湯水混合バルブユニット１２は、調整用ロッド１２ａと、カバー２４と、このカバー２４の中に収納された固定ディスク２６と、この固定ディスク２６に対して可動な可動ディスク２８と、を有する。
【００３７】
調整用ロッド１２ａは、水平方向に向けられた回転軸１２ｂ（第２の軸線Ｈ）を中心に回動可能に構成されている。また、この回転軸１２ｂは、カバー２４に対して、湯水混合バルブユニット１２の中心を通る第１の軸線Ｖを中心に回動可能に構成されている。従って、調整用ロッド１２ａは、回転軸１２ｂを中心に回動可能であると同時に、第１の軸線Ｖを中心に回動可能に支持されている。
【００３８】
固定ディスク２６は、湯流入口１２ｃ、水流入口１２ｄ、及び流出口１２ｅが形成された概ね円板状の部材であり、カバー２４に対して固定されている。湯流入口１２ｃ、水流入口１２ｄは、筐体１０に設けられた２本の湯供給通路１０ｃ、水供給通路１０ｄと夫々整合するように構成されており、供給された湯及び水が湯流入口１２ｃ、水流入口１２ｄを通って流入するようになっている。
【００３９】
可動ディスク２８は、概ね円板状の部材であり、その上面にはロッド受入凹部２８ａが、下面には通水凹部２８ｂが夫々形成されている。ロッド受入凹部２８ａは、調整用ロッド１２ａの下端部を受入れており、調整用ロッド１２ａが回転軸１２ｂを中心に回動されることにより、可動ディスク２８が固定ディスク２６に対して前後方向（図１１における左右方向）に移動されるように構成されている。また、調整用ロッド１２ａが第１の軸線Ｖを中心に回動されると、これと係合している可動ディスク２８も固定ディスク２６に対して回動されるように構成されている。
【００４０】
また、可動ディスク２８の下面の通水凹部２８ｂは、可動ディスク２８が固定ディスク２６に対して移動されたとき、固定ディスク２６の湯流入口１２ｃ、水流入口１２ｄを適宜開閉するような形状に構成されている。即ち、可動ディスク２８が、図１１に示すように、最も右方に移動された状態では、湯流入口１２ｃ、水流入口１２ｄは、可動ディスク２８によって完全に閉鎖され、止水状態となる。この状態から、調整用ロッド１２ａを、回転軸１２ｂを中心に回動させ、可動ディスク２８を左方に移動させると、固定ディスク２６の湯流入口１２ｃ、水流入口１２ｄと可動ディスク２８の通水凹部２８ｂが重なるようになる。この状態では、湯流入口１２ｃ、水流入口１２ｄを通って流入した湯及び水は、通水凹部２８ｂの中に流入して混合され、さらに流出口１２ｅから流出して吐水状態となる。さらに、図３に示す可動ディスク２８を最も左方に移動させた状態では、湯流入口１２ｃ、水流入口１２ｄは、最も開放された状態となり、吐水流量も最大になる。
【００４１】
一方、調整用ロッド１２ａを、第１の軸線Ｖを中心に回動させ、可動ディスク２８を回動させた場合には、湯流入口１２ｃ、水流入口１２ｄの開度が変化する。即ち、温度調整用レバー８ａ（調整用ロッド１２ａ）を、図２における矢印Ｈの方向に回動させた場合には、湯供給通路１０ｃと連通する湯流入口１２ｃの開度が大きくなり、水流入口１２ｄの開度が小さくなる。これにより、水の流入量が減り、湯の流入量が増えるので、吐水される湯水の温度が高くなる。逆に、温度調整用レバー８ａを、図２における矢印Ｃの方向に回動させた場合には、水の流入量が増え、湯の流入量が減るので、吐水される湯水の温度が低くなる。なお、図１１に示すように、可動ディスク２８が最も右方に移動されている場合には、調整用ロッド１２ａを、第１の軸線Ｖを中心に回動させても湯流入口１２ｃ及び水流入口１２ｄは閉鎖されたままであり、止水状態が維持される。
【００４２】
次に、本発明の第１実施形態による湯水混合水栓１の作用を説明する。まず、図１１に示す止水状態においては、可動ディスク２８が固定ディスク２６に設けられた湯流入口１２ｃ及び水流入口１２ｄを閉鎖しているので、湯供給通路１０ｃ及び水供給通路１０ｄを介して供給された湯及び水は、湯水混合バルブユニット１２内に流入せず、止水状態になる。次に、流量調整用ツマミ６（調整用ロッド１２ａ）を、回転軸１２ｂ（第２の軸線Ｈ）を中心に図１１の右方向に回動させると、可動ディスク２８は左方に移動され、湯流入口１２ｃ及び水流入口１２ｄが開いて吐水状態となる。ここで、第１の軸線Ｖから流量調整用ツマミ６の隆起部６ａまでの距離Ｄ２は短いので、使用者による流量調整用ツマミ６の把持・操作により、回動キャップ８が偶発的に第１の軸線Ｖを中心に回動され、設定されている温度が変化してしまうことはない。
【００４３】
温度調整用レバー８ａが湯水混合水栓１の正面に向けられている場合には、湯流入口１２ｃ及び水流入口１２ｄの開度はほぼ等しくなり、ほぼ同量の水及び湯が湯水混合バルブユニット１２内に流入する。湯水混合バルブユニット１２内に流入した水及び湯は、混合され、流出口１２ｅから流出される。流出口１２ｅから流出した湯水は、湯水通路１０ｅを通って吐水部４の吐水口４ａから吐水される。
【００４４】
一方、温度調整用レバー８ａを、第１の軸線Ｖを中心に右方向又は左方向に回動させることにより、回動キャップ８全体が第１の軸線Ｖを中心に回動される。回動キャップ８が回動されると、回動部８ｂの当接凹部８ｆと、これに受け入れられているガイド部２２の側面２２ｄが当接する。これにより、ガイド部２２は、当接凹部８ｆによって押圧され、第１の軸線Ｖを中心に回動される。ガイド部２２が回動されることにより、これに結合された調整用ロッド１２ａも第１の軸線Ｖを中心に回動され、これにより流入する湯及び水の混合比が変化し、吐水される湯水の温度が調節される。ここで、回動キャップ８（温度調整用レバー８ａ）は、第１の軸線Ｖを中心とする回動のみ可能であるため、使用者による温度調整用レバー８ａの把持・操作によって、調整用ロッド１２ａが第２の軸線Ｈを中心に回動され、吐水流量が変化することはない。
【００４５】
本発明の第１実施形態の湯水混合水栓によれば、温度調整用レバーが、バルブ押えに第１の軸線のみを中心として回動可能に取り付けられているので、温度調整用レバーの把持・操作により、調整用ロッドが偶発的に第２の軸線を中心に回動され、湯水の流出流量が変化してしまうのを防止することができる。
また、本実施形態の湯水混合水栓によれば、調整用ロッドにガイド部が取り付けられ、当接面積が拡大されているので、調整用ロッド及び回動部に作用する面圧を低減することができ、湯水混合水栓の耐久性を向上させることができる。
【００４６】
さらに、本実施形態の湯水混合水栓によれば、流量調整用ツマミが回動部の円弧断面部に沿うように移動されるので、流量調整用ツマミが、常に第１の軸線の近傍に位置する。これにより、流量調整用ツマミの把持・操作により調整用ロッドが偶発的に第１の軸線を中心に回動されるのを防止することができる。
【００４７】
なお、上述した実施形態においては、回動部及び温度調整用レバーを回動キャップとして一体に構成していたが、回動部と温度調整用レバーを別体で構成し、温度調整用レバーと共に回動部が回動されるように両者を結合しても良い。
【００４８】
また、上述した実施形態においては、調整用ロッド、シャフト、ガイド部、及び流量調整用ツマミを別体で構成していたが、これらの部材を適宜、一体で構成し、或いは分割して構成することができる。
【００４９】
次に、図１２及び図１３を参照して、本発明の第２実施形態による湯水混合水栓を説明する。図１２は本実施形態による湯水混合水栓の斜視図であり、図１３は湯水混合水栓を全開（最大流量）にした状態の断面図である。本実施形態の湯水混合水栓は、流量調整用ツマミの形状が第１実施形態とは異なる。従って、ここでは、本発明の第２実施形態の、第１実施形態とは異なる部分のみ説明し、同様の構成要素については、同一の符号を附して説明を省略する。
【００５０】
図１２及び図１３に示すように、本発明の第２実施形態の湯水混合水栓１００は、筐体１０と、この筐体１０の中に受け入れられた湯水混合バルブユニット１２と、湯水混合バルブユニット１２を固定するバルブ押え１４と、を有する。また、筐体１０の外周には、円筒形のスペーサー１６が配置され、筐体１０の上方のバルブ押え１４の外周には、円筒形のカバー１８が配置されている。なお、本実施形態において、筐体１０、バルブ押え１４、及びカバー１８は、水栓本体部を構成する。
【００５１】
さらに、湯水混合水栓１００は、バルブ押え１４の上部に、回動可能に取り付けられた温度調整手段である回動キャップ８と、湯水混合バルブユニット１２の調整用ロッド１２ａに取り付けられたシャフト１２０と、このシャフト１２０の先端に取り付けられた流量調整用レバー１０６と、調整用ロッド１２ａの周囲に取り付けられたガイド部２２と、を有する。なお、本実施形態において、調整用ロッド１２ａ及びガイド部２２は、湯水混合バルブユニット１２の調整部を構成する。
【００５２】
本実施形態においては、流量調整手段は、第２の軸線Ｈを中心とする円のほぼ半径方向に直線状に延びる流量調整用レバー１０６として構成されている。本実施形態においては、流量調整用レバー１０６は、円形断面の細い棒状の部材により構成されており、これを把持して調整用ロッド１２ａを第１の軸線を中心に回動させることは困難である。また、本実施形態においては、流量調整用レバー１０６を最も傾斜させた状態においても、流量調整用レバー１０６を第１の軸線Ｖ方向に投影した際の先端が、回動キャップ８の回動部８ｂの円よりも内側に位置するように構成されている。従って、流量調整用レバー１０６の突端１０６ａから第１の軸線Ｖまでの最長距離Ｄ２は、温度調整操作部である温度調整用レバー８ａの突端から第１の軸線Ｖまでの最長距離Ｄ１よりも短くなるように構成されている。
【００５３】
このため、使用者が温度調整用レバー８ａを把持した場合には、調整用ロッド１２ａに対して、第１の軸線Ｖを中心とする大きなトルクを容易に作用させることができるが、使用者が流量調整用レバー１０６を把持した場合には、調整用ロッド１２ａに大きなトルクを及ぼすことは困難である。これにより、流量調整用レバー１０６の操作により、調整用ロッド１２ａが偶発的に第１の軸線Ｖを中心として回動してしまうのを防止することができる。
【００５４】
本発明の第２実施形態の湯水混合水栓によれば、流量調整用レバーが第２の軸線を中心とする円のほぼ半径方向に延びているので、流量調整用レバーの把持・操作により、調整用ロッドを第１の軸線を中心に回動させることが困難になる。これにより、流量調整用レバーの把持・操作により、調整用ロッドが偶発的に第１の軸線を中心に回動されるのを防止することができる。
【００５５】
以上、本発明の好ましい実施形態を説明したが上述した実施形態に種々の変更を加えることができる。
【図面の簡単な説明】
【００５６】
【図１】本発明の第１実施形態による湯水混合水栓を備えた流し台全体を示す斜視図である。
【図２】本発明の第１実施形態による湯水混合水栓を流し台から取り外した状態を示す斜視図である。
【図３】湯水混合水栓を全開にした状態を示す、図２のIII−III方向に沿う断面図である。
【図４】図２のIV−IV方向に沿う断面図である。
【図５】本発明の第１実施形態による湯水混合水栓に内蔵されている湯水混合バルブユニットの斜視図である。
【図６】バルブ押えの斜視図である。
【図７】カバーの斜視図である。
【図８】回動キャップの斜視図である。
【図９】ガイド部の斜視図である。
【図１０】流量調整用ツマミの斜視図である。
【図１１】止水状態にある湯水混合水栓の断面図である。
【図１２】本発明の第２実施形態による湯水混合水栓の斜視図である。
【図１３】本発明の第２実施形態による湯水混合水栓を全開にした状態の断面図である。
【符号の説明】
【００５７】
Ｖ      第１の軸線
Ｈ      第２の軸線
１      本発明の第１実施形態による湯水混合水栓
２      シンク
４      吐水部
４ａ    吐水口
６      流量調整用ツマミ（流量調整手段）
６ａ    隆起部
６ｂ    受入穴
６ｃ    指示突起
８      回動キャップ（温度調整手段）
８ａ    温度調整用レバー（温度調整操作部）
８ｂ    回動部
８ｃ    開口部
８ｄ    流量目盛り
８ｅ    環状部
８ｆ    当接凹部
８ｇ    溝
１０    筐体
１０ａ  バルブユニット収納凹部
１０ｂ  雌ねじ
１０ｃ  湯供給通路
１０ｄ  水供給通路
１０ｅ  湯水通路
１２    湯水混合バルブユニット
１２ａ  調整用ロッド
１２ｂ  回転軸
１２ｃ  湯流入口
１２ｄ  水流入口
１２ｅ  流出口
１４    バルブ押え
１４ａ  下段部
１４ｂ  上段部
１４ｃ  ピン挿入孔
１５    ピン
１６    スペーサー
１８    カバー
１８ａ  温度目盛り
１８ｂ  雌ねじ穴
１９    固定ビス
２０    シャフト
２２    ガイド部
２２ａ  上面
２２ｂ  ロッド挿入穴
２２ｃ  円形穴
２２ｄ  側面
２４    カバー
２６    固定ディスク
２８    可動ディスク
２８ａ  ロッド受入凹部
２８ｂ  通水凹部
１００  本発明の第２実施形態の湯水混合水栓
１０６  流量調整用レバー（流量調整手段）
１２０  シャフト
【図１】
2008163603.tif 000003
【図２】
2008163603.tif 000004
【図３】
2008163603.tif 000005
【図４】
2008163603.tif 000006
【図５】
2008163603.tif 000007
【図６】
2008163603.tif 000008
【図７】
2008163603.tif 000009
【図８】
2008163603.tif 000010
【図９】
2008163603.tif 000011
【図１０】
2008163603.tif 000012
【図１１】
2008163603.tif 000013
【図１２】
2008163603.tif 000014
【図１３】
2008163603.tif 000015